(57)【要約】  【課題】  ブラシの持ち方を変更せずにブラッシング対象への当接角度を変更でき、安価にブラシ部を交換できるブラシを提供する。  【解決手段】  ブラッシング用のブラシ部と、把持用のハンドル部とを含むブラシであって、前記ブラシ部は、前記ハンドル部に着脱可能に接続され、前記ブラシの長軸を回転軸として前記ブラシ部と前記ハンドル部との接続角度が所定角度回転でき、これによってブラッシング対象への前記ブラシ部の当接角度が変更可能であるブラシ。【選択図】  図１
2017221682.tif 000002
【特許請求の範囲】
【請求項１】
ブラッシング用のブラシ部と、把持用のハンドル部とを含むブラシであって、
前記ブラシ部は、前記ハンドル部に着脱可能に接続され、
前記ブラシの長軸を回転軸として前記ブラシ部と前記ハンドル部との接続角度が所定角度回転でき、これによってブラッシング対象への前記ブラシ部の当接角度が変更可能である
ことを特徴とするブラシ。
【請求項２】
請求項１に記載のブラシであって、
前記ブラシは、前記ブラシ部と前記ハンドル部の接続部分に設けられた第１角度変更機構によって、前記当接角度が変更可能である
ことを特徴とするブラシ。
【請求項３】
請求項２に記載のブラシであって、
前記ブラシ部と前記ハンドル部とは、一方に設けた棒状接続部と、他方に設けた凹部状接続部とが嵌合することによって接続され、
前記第１角度変更機構は、前記棒状接続部と、前記凹部状接続部とから構成される
ことを特徴とするブラシ。
【請求項４】
請求項３に記載のブラシであって、
前記棒状接続部の外周にはリブ状の部分から構成される角度規制部が設けられ、前記凹部状接続部には凹溝状の部分から構成される角度案内部が設けられている
ことを特徴とするブラシ。
【請求項５】
請求項３又は４に記載のブラシであって、
前記凹部状接続部には、製造過程におけるゲート残部を収容するための第１逃がし部が設けられている
ことを特徴とするブラシ。
【請求項６】
請求項３〜５のいずれか一項に記載のブラシであって、
前記凹部状接続部には、汚れを収容するための第２逃がし部が設けられている
ことを特徴とするブラシ。
【請求項７】
請求項１〜６のいずれか一項に記載のブラシであって、
前記ブラシは、前記ハンドル部に設けられた第２角度変更機構によって、前記当接角度が変更可能である
ことを特徴とするブラシ。
【請求項８】
請求項７に記載のブラシであって、
前記第２角度変更機構は、前記ハンドル部の周面に設けられた複数の指当て面から構成される
ことを特徴とするブラシ。
【請求項９】
請求項８に記載のブラシであって、
複数の前記指当て面には、対向する１対の前記指当て面であって前記当接角度を認識できる基準面が含まれている
ことを特徴とするブラシ。
【請求項１０】
請求項８又は９に記載のブラシであって、
４つ、６つ又は８つの前記指当て面を含む
ことを特徴とするブラシ。
【請求項１１】
請求項２〜６のいずれか一項に記載のブラシであって、
前記ブラシは、前記ハンドル部に設けられた第２角度変更機構によって、前記当接角度が変更可能であり、
前記第１角度変更機構と、前記第２角度変更機構とは、前記当接角度を同角度に変更可能である
ことを特徴とするブラシ。
【発明の詳細な説明】
【技術分野】
【０００１】
本発明は、ブラシに関する。
【背景技術】
【０００２】
例えば、歯のブラッシングは、ブラシ部の歯への当接角度を変えながら行う必要がある。通常の歯磨き用ブラシ（歯ブラシ）は、ブラシ部とハンドル部が一体に形成されているため、歯に当接するブラシ部の角度を変えるためには、ハンドル部を持ち替えなければならない。このように、磨く歯の位置や部位ごとに持ち方を替えて歯への当接角度を調整することは、手の動きの器用さをまだ獲得していない幼児には難しい。また、成人であっても、高齢や疾病、怪我等で手の自由度が低下することがあり、このような場合にはハンドルの持ち方を変えることは困難である。
【０００３】
一方、ブラシ部を回転可能な歯ブラシとして、歯又は歯茎をブラッシングするための植毛が形成された刷毛部と、前記刷毛部を把持するための柄部とを備えた歯ブラシにおいて、前記柄部はその断面形状が楕円形であり、前記刷毛部は前記柄部の長手方向に沿って延びる軸線を中心として回転可能であることを特徴とするものが開示されている（例えば、特許文献１の請求項１を参照）。
【先行技術文献】
【特許文献】
【０００４】
【特許文献１】実用新案登録第２５８５０５２号公報
【発明の概要】
【発明が解決しようとする課題】
【０００５】
上記特許文献１に記載の歯ブラシは、刷毛部の植毛台の長手方向の一端に棒状部材が形成され、この棒状部材が中空の柄部内に挿入されることにより、柄部内で回転できるように構成されている。この棒状部材は柄部より長く、柄部に挿入した時柄部から突出する部分にネジ山が形成され、調整用ナットが固着され、この調整用ナットの外側のネジ山部分に緩み止めナットが装着されている。この緩み止めナットを緩め、調整用ナットを回転させて刷毛部を回転させ、所定の角度位置に調整した後、緩み止めナットを締め付けて柄部に対して刷毛部を固定する（明細書段落番号［００１３］−［００１６］を参照）。
【０００６】
特許文献１に記載の歯ブラシは、調整用ナット及び緩み止めナットを別途含むため、コストが高くなる。また、このような小さい部品は紛失しやすく、幼児の場合等は誤って飲み込まれる可能性がある。また、細長い棒状部材は、不意に喉に刺される可能性もある。さらに、緩み止めナットを緩めてから、調整用ナットで刷毛部を回転させて所定の位置に調整した後に、再び緩み止めナットを締め付ける操作は、手の動きの器用さや自由度が十分でない使用者には、難しい作業となる。
【０００７】
また、歯ブラシだけでなく、掃除用のブラシにおいても、ブラッシング対象の形状や狭いスペースにおける清掃等は、ブラシ部の当接角度を変えながらブラッシングを行う必要があるが、作業スペースの制限や手袋着用によって持ち方が制限される等、持ち手を替えることができずに思うように清掃を行えないことも少なくない。
【０００８】
一方、歯ブラシは、ブラシ部（とりわけ毛束）が傷みやすく、定期的に交換することが推奨されている。しかし、近時、歯ブラシ等はハンドル部を工夫して持ちやすくする傾向にあり、これに伴ってコストも高くなる傾向にあるため、短期間の交換に抵抗を感じる使用者も少なくない。また、清掃用ブラシにおいても、ブラシ部が傷みやすいという問題は同様に生じている。
【０００９】
本発明は、上記課題の少なくも一つを解決するためのもので、ブラシの持ち方を変更せずにブラッシング対象への当接角度を変更でき、安価にブラシ部を交換できるブラシを提供することを目的とする。
【課題を解決するための手段】
【００１０】
そこで、上記課題を解決するために、本発明に係るブラシは、ブラッシング用のブラシ部と、把持用のハンドル部とを含むブラシであって、前記ブラシ部は、前記ハンドル部に着脱可能に接続され、前記ブラシの長軸を回転軸として前記ブラシ部と前記ハンドル部との接続角度が所定角度回転でき、これによってブラッシング対象への前記ブラシ部の当接角度が変更可能である。
【００１１】
また、前記ブラシは、前記ブラシ部と前記ハンドル部の接続部分に設けられた第１角度変更機構によって、前記当接角度が変更可能であってもよい。
【００１２】
また、前記ブラシ部と前記ハンドル部とは、一方に設けた棒状接続部と、他方に設けた凹部状接続部とが嵌合することによって接続され、前記第１角度変更機構は、前記棒状接続部と、前記凹部状接続部とから構成されてもよい。
【００１３】
また、前記棒状接続部の外周にはリブ状の部分から構成される角度規制部が設けられ、前記凹部状接続部には凹溝状の部分から構成される角度案内部が設けられていてもよい。
【００１４】
また、前記凹部状接続部には、製造過程におけるゲート残部を収容するための第１逃がし部が設けられていてもよい。
【００１５】
また、前記凹部状接続部には、汚れを収容するための第２逃がし部が設けられていてもよい。
【００１６】
また、前記ブラシは、前記ハンドル部に設けられた第２角度変更機構によって、前記当接角度が変更可能であってもよい。
【００１７】
また、前記第２角度変更機構は、前記ハンドル部の周面に設けられた複数の指当て面から構成されてもよい。
【００１８】
また、複数の前記指当て面には、対向する１対の前記指当て面であって前記当接角度を認識できる基準面が含まれていてもよい。
【００１９】
また、４つ、６つ又は８つの前記指当て面を含んでもよい。
【００２０】
また、前記ブラシは、前記ハンドル部に設けられた第２角度変更機構によって、前記当接角度が変更可能であり、前記第１角度変更機構と、前記第２角度変更機構とは、前記当接角度を同角度に変更可能であってもよい。
【発明の効果】
【００２１】
本発明によれば、ブラシの持ち方を変更せずにブラッシング対象への当接角度を変更でき、安価にブラシ部を交換できるブラシを提供することができる。
【図面の簡単な説明】
【００２２】
【図１】実施形態１に係るブラシを説明するための図である。
【図２】実施形態１に係るブラシのブラシ部を説明するための図である。
【図３】実施形態１に係るブラシのハンドル部を説明するための図である。
【図４】実施形態１に係るブラシの接続構成を説明するための図である。
【図５】実施形態１に係るブラシ使用状態を説明するための図である。
【図６】実施形態１に係るブラシの他の一例を説明するための図である。
【図７】実施形態１に係るブラシの他の一例を説明するための図である。
【図８】実施形態２に係るブラシを説明するための図である。
【図９】実施形態２に係るブラシの使用状態を説明するための図である。
【図１０】実施形態２に係るブラシを説明するための図である。
【図１１】実施形態２の変形例１に係るブラシを説明するための図である。
【図１２】本願の他の例に係るブラシを説明するための図である。
【発明を実施するための形態】
【００２３】
以下、図面を参照して本発明に係る実施形態の例を説明する。なお、以下では、一例として、歯ブラシを図示して説明するが、特にこれに限定するものではなく、清掃用ブラシ等であってもよい。
【００２４】
＜実施形態１＞
図１〜図７は、実施形態１に係るブラシ１を説明するための図で、図１はブラシ全体を示す図、図２はブラシ部を示す図、図３はハンドル部を示す図、図４は接続構成を示す図、図５は使用状態を示す図、図６及び図７はブラシの他の例を示す図である。ブラシ１は、ブラシ部２と、ハンドル部３とを含み、ブラシ部２とハンドル部３とが着脱可能に接続される。
【００２５】
ブラシ部２は、ブラッシングを行う部分で、毛束２１と、ヘッド２２、ネック２３、ブラシ接続部２４を有するブラシ部本体と、を含み、毛束２１はヘッド２２に配置される。ブラシ部２は、ブラシ接続部２４を介してハンドル部３と接続される。
【００２６】
毛束２１は、図示のように、複数の束（タフト）を含むものでもよいし、１束を含むものであってもよく、特に限定するものではない。また、例えば、毛束の配置位置や数が異なる複数のブラシ部２を用意して、用途に応じて適宜選択してハンドル部３に接続して用いるようにしてもよい。
【００２７】
毛束２１には、ナイロンやポリエステル等の樹脂素材又は天然素材の用毛を用いることができ、又はこれらを２種以上組み合わせたものを用いてもよい。また、毛束に用いられる用毛は、先端の形状が例えば円錐形状や円柱形状等のものを用いることができ、また、異なる形状のものを用いてもよい。また、毛束２１の太さや長さ等は、用途に応じて適宜設定することができる。
【００２８】
毛束２１は、ヘッド２２に植設されて配置されてもよいし、ブラシ部本体の成型の際にこれを埋設するようにして成形して配置されてもよく、特に限定するものではない。
【００２９】
ヘッド２２は、扁平な形状をなし、一方の面である正面に毛束２１が配置される。ヘッド２２の形状や大きさは用途に応じて適宜設定することができる。例えば、幼児用の歯ブラシの場合は小さめの楕円形や角に丸みのある台形等とすることができ、成人用の歯ブラシの場合はこれよりも大きめのものとすることができる。また、掃除用のブラシの場合は、隙間掃除用のときは細長い形状とすることができる。
【００３０】
ネック２３は、ヘッド２２より概ね細く形成される。口腔に挿入する際の異物感を少なくし狭い空間でも挿入しやすいようにするとともに、ブラシ部１を抜き差しする際に指をヘッドの手前で止めて滑らないようにするためである。また、好ましくは、ネック２３は、図示のように、ブラシ接続部２４に隣接する部分が幅を拡大して拡幅形状に形成される。このように形成することで、ブラシ接続部に必要な太さを確保するとともに、ブラシ部を抜き差しするときに指で細い部分を保持することで作業しやすくする。また、図示のネック２３は直線状であるが、ハンドル部３に対して多少湾曲又は屈曲する形状であってもよい。
【００３１】
ブラシ接続部２４は、ハンドル部３と接続するための部分で、接続された状態では概ねハンドル部３に隠れる部分である。ブラシ接続部２４は、上段２４１と、中段２４２と、下段２４３とを含む。好ましくは、ブラシ接続部２４は、概ね断面形状が円形である棒状に形成される。
【００３２】
上段２４１は、ネック２３に隣接する部分であり、外周に抜止部２４４が設けられる。抜止部２４４は、外周から突出するように形成され、外周全周に亘って帯状に設けられてもよいし、一部のみに断続して設けられて複数の点のように形成されてもよい。
【００３３】
中段２４２は、上段２４１と下段２４３との間の部分であり、図示のように下段２４３が上段２４１より細く形成される場合、テーパー状に形成される。中段２４２によって、ブラシ接続部２４の抜け挿しがスムーズになり、また、洗浄しやすくなる。
【００３４】
下段２４３には、ハンドル部３に接続する際の角度を規制する角度規制部２４５が設けられる。好ましくは、角度規制部２４５は、下段２４３の長軸のほぼ全長に亘って突出するリブ状に形成される。角度規制部２４５は、１つのリブ状の部分から構成されてもよいし、図示のように２つのリブ状の部分から構成されてもよいし、３つ以上のリブ状の部分から構成されてもよい。
【００３５】
また、ブラシ接続部２４には、ゲート残部２４６が形成される。これは、ブラシ部２の製造過程において、射出成型の際のゲート部Ｇが切断されて残された部分である。
【００３６】
ハンドル部３は、ブラッシングの際に把持するための部分で、ハンドル接続部３１と、把持部３２とを含む。
【００３７】
ハンドル部３は、好ましくは、硬質素材と軟質素材の２種類の素材から形成され、例えば図示のように、硬質素材からなるハンドル接続部３１の一部及び把持部３２の一部（外郭）が軟質素材からなる被覆部３３で覆われるように形成される。硬質素材には、例えば、ポリプロピレンやポリエステル等の樹脂素材が用いられる。軟質素材には、例えば、シリコーン等の軟質樹脂が用いられる。なお、図６に示すように、１種類の硬質素材から形成されてもよいことは言うまでもない。
【００３８】
ハンドル接続部３１は、ブラシ接続部２４を収容するための凹部である収容部３１１を有して、概ね凹部状に形成される。収容部３１１には、第１逃がし部３１１１及び第２逃がし部３１１２が設けられる。
【００３９】
具体的には、図４（ｂ）に示すように、収容部３１１は、上段２４１と対応する部分及び下段２４３と対応する部分は、これらをちょうど収容できるようにこれらよりやや大きく形成される。一方、底には余分な空間である第１逃がし部３１１１が設けられ、中段２４２に対応する部分には余分な空間である第２逃がし部３１１２が設けられる。
【００４０】
第１逃がし部３１１１は、ゲート残部２４６を収容する空間であるとともに、歯磨き粉等の汚れを一時的に溜める部分であり、好ましくは、図示のように略椀状に形成される。ブラシ部２は、ブラッシング対象と直接接触する部分であるため、バリやゲートの切断部が残存するとブラッシング対象を傷つけかねないため、仕上げ工程では丁寧な作業が求められる。特に、歯ブラシの場合、ブラシ部は口腔内に挿入されるため、細かい仕上げ処理が求められ、工数がかかる。ここでは、成型用ゲートを一カ所とし、第１逃がし部３１１１を設けてゲート残部２４６を収容することによって、仕上げ工程では粗い処理で済むので、工数を減らして、コストを削減することができる。
【００４１】
第２逃がし部３１１２は、歯磨き粉等の汚れを一時的に溜める部分である。図示のように、第２逃がし部３１１２は、好ましくは、略底のない皿状に形成される。
【００４２】
また、ハンドル接続部３１は、収容部３１１の内壁における、抜止部２４４に対応する位置に抜止係止部３１２が設けられる。抜止係止部３１２は、突出形状の抜止部２４４に対応して凹溝状に形成され、これと係合する。また、抜止係止部３１２は、抜止部２４４に対応して、収容部３１１の内壁の全周に亘って形成されてもよいし、断続して複数の窪み状に形成されてもよい。なお、例えば、抜止部２４４が凹溝状に形成され、抜止係止部３１２が突出形状に形成されてもよいことは言うまでもない。
【００４３】
また、ハンドル接続部３１は、縁から切り込まれたスリット状の余裕部３１３が設けられる。余裕部３１３は、ブラシ部２とハンドル部３とを接続する際にハンドル接続部３１に係る余分な力を逃がす部分である。これを設けることによって、ハンドル接続部に弾性を持たせることができる。
【００４４】
また、ハンドル接続部３１は、長軸方向に延伸する複数の溝状の部分から構成される角度案内部３１４を含む。角度案内部３１４は、角度規制部２４５に対応して収容部３１１の壁部に形成される。また、角度案内部３１４を構成するそれぞれの溝状部分も角度規制部２４５を構成するリブ状部分と対応した形状に形成される。
【００４５】
角度案内部３１４を構成する溝状部分の数は、４個でもよいし、６個でもよいし、８個でもよく、また、図示のように１２個でもよい。また、角度規制部２４５を構成するリブ状部分が図示のように２つである場合は、溝状部分も偶数に構成される。数が少ないほど嵌合がゆるく、数が多いほど嵌合が密になる傾向にある。
【００４６】
好ましくは、溝状部分は、収容部３１１の壁部に均等な間隔で形成される。一例として、１２個の溝状部分で構成される場合、角度案内部３１４に角度規制部２４５を嵌合することによって、ブラシ部２とハンドル部３との接続を３０度の間隔で変更可能となる。
【００４７】
言い換えれば、角度規制部２４５及び角度案内部３１４を含む第１角度変更機構を備えることによって、ブラシ１は、ブラシ部２とハンドル部３との接続角度が長軸を回転軸として例えば３０度ずつ回転可能である。図５（ａ）は回転していない状態、図５（ｂ）は、３０度回転した状態、図５（ｃ）は９０度回転した状態を示すものである。
【００４８】
把持部３２は、一例として図示のように、リング状の第１指掛け部３２１と、２つの略への字形状部分に囲まれる部分である第２指掛け部３２２と、握り部３２３とを含む。使用者は、例えば、人挿し指を第１指掛け部の孔に通し、親指及び中指を第２指掛け部に掛けるようにして、把持部３２を把持することができる。
【００４９】
また、好ましくは、図示のように、第２指掛け部３２２では２つの第１ポイント部３２２１が、握り部３２３では２つの第２ポイント部３２３１が、被覆部３３を貫通するようにしてこれを固定するように形成される。
【００５０】
ブラシ１は、ブラシ部２がハンドル部３とは別体に形成されるため、傷みやすいブラシ部２のみを交換して使用することができ、ブラシ１の交換コストを低減することができる。
【００５１】
また、角度規制部及び角度案内部を含む第１角度変更機構を備えることによって、ブラッシング対象へのブラシ部の当接角度を、ハンドル部を持ち替えることなく、変更することができる。
【００５２】
なお、図７に示すように、ハンドル部３のハンドル接続部３１が略棒状に形成され、ブラシ部２のブラシ接続部２４がこれを収容する凹部状に形成されてもよい。この場合、角度規制部及び抜止部はハンドル接続部３１に設けられ、角度案内部及び抜止係止部はブラシ接続部２４に設けられる。
【００５３】
また、第１逃がし部もブラシ部２のブラシ接続部２４に設けられる。ここでは、図７（ｂ）に示すように、成型用ゲート部Ｇを第１逃がし部に一カ所設ければ、ゲート残部がそのまま第１逃がし部に収容されるため、仕上げ工程では粗い処理で済むので、工数を減らして、コストを削減することができる。
【００５４】
＜実施形態２＞
図８〜図１０は実施形態２に係るブラシ１ａを説明するための図である。ブラシ１ａは、ブラシ部２と、ハンドル部３ａとを含み、ブラシ部２とハンドル部３ａとは着脱可能に接続される。ブラシ部２は、実施形態１と同様であるため、ここでは説明を省略する。
【００５５】
ハンドル部３ａは、ブラッシングの際に把持するための部分で、ハンドル接続部３１ａと、把持部３４ａとを含む。
【００５６】
ハンドル接続部３１ａは、一部ないし全体が把持部３４ａの内側に形成される点以外は、実施形態１に係るハンドル接続部３１と同様であるため、ここでは説明を省略する。すなわち、ブラシ１ａは、実施形態１と同様に、角度規制部及び角度案内部を含む第１角度変更機構を備える。
【００５７】
把持部３４ａは、全体として略棒状に形成され、好ましくは、図示のように両端がやや細く、その間の部分がやや太く形成される。また、把持部３４ａは、ブラシ１ａの長軸を回転軸として、ブラッシング対象へのブラシ部２の当接角度を変更可能な第２角度変更機構を備える。
【００５８】
一例として、ここでは、第２角度変更機構は、把持部３４ａの周面に形成される指当て部３４１ａを含んで構成される。指当て部３４１ａは、使用者が指を当てて把持する部分である。指当て部３４１ａは、把持部３４ａの全長に亘って形成されてもよいし、把持部３４ａの長さの一部を占めるように形成されてもよく、好ましくは、ブラシ部側寄りの位置に形成される。
【００５９】
また、ここでは、指当て部３４１ａは、８つの指当て面３４１１ａ〜３４１８ａを有して断面形状を略八角形に形成される例を図示するが、４つの指当て面を有して断面形状を略四角形に形成されてもよく、また６つの指当て面を有して断面形状を略六角形に形成されてもよい。
【００６０】
ブラッシングの際には、図９に示すように、対向する２つの指当て面に指を当てて把持部３４ａを把持することができる。
【００６１】
また、指当て部３４１ａは、一対の指当て面、ここでは指当て面３４１１ａと３４１５ａとが他の指当て面よりも幅広く形成され、これを基準面とすることができる。この基準面を設けることによって、現在、ブラシ部が何度の角度で把持しブラッシングしているかを認識することができるようになり、歯毎、歯の磨き部位毎の角度の調整がしやすくなる。
【００６２】
また、ハンドル部の太さ等の制約から角度案内部を構成する溝状部分の個数が制約され、細かい角度の設定が難しいが、基準面と合わせることによって細かい角度を得ることができる。
【００６３】
具体的には、例えば、図１０に示すように、指当て部３４１ａが図示のような八角形に形成されるブラシの場合、指当て部３４１ａを、時計方向に一面ずつずらして把持すると、ハンドル部３が４０度、６０度、６０度、４０度、４０度、６０度、６０度、４０度回転し、これに伴って、ブラッシング対象である歯に当接するブラシ部２の当接角度も変わる。従って、例えば、７０度の角度を得たい場合は、ブラシ部２とハンドル部３ａとを３０度の角度で接続し、基準面３４１１ａと３４１５ａの時計方向の隣の指当て面３４１２ａと３４１６ａとを把持すればよい。
【００６４】
なお、基準面は感覚的に当接角度を覚えるにあたっても重要である。使用者は、把持する（握りや摘み持ちを含む）際に、例えば親指や人差し指の指腹の当たる部位が基準面に対してどの位置に当たっているかを意識するなど感覚的に捉えやすく、覚えるために多少の繰り返しが必要かもしれないが、例えば、４５度ずつ変わる八角形の場合、対向する２面と共にその直角方向の２面、さらには、その４５度に傾斜する面の組合せなど、感覚的に捉えて体で覚えることができる。
【００６５】
また、基準面は、幅や厚みなどを他の面と異ならせることによって区別してもよいし、凹凸のある模様や文字等を配置して他の面と区別するようにしてもよい。
【００６６】
上記構成によって、ブラシ１ａは、実施形態１のブラシ１と同様に、ブラシ部２とハンドル３ａとを別体に形成し、傷みやすいブラシ部２のみを交換して使用することによって、交換コストを低減することができる。また、角度規制部及び角度案内部を含む第１角度変更機構を備えることによって、ブラッシング対象へのブラシ部の当接角度を、ハンドル部を持ち替えることなく、変更することができる。
【００６７】
さらに、ブラシ１ａは、第２角度変更機構、即ち、４つの指当て面（４角形）や６つの指当て面（６角形）、８つの指当て面（８角形）を有する指当て部を備えることによって、持ち方を変えずにブラッシング対象へのブラシ部の当接角度を変更することができる。また、第１角度変更機構と合わせることで、ブラッシング対象に対するブラシ部のさらに細かい当接角度を得ることができる。
【００６８】
＜実施形態２の変形例１＞
図１１は、実施形態２の変形例１を説明するための図である。ブラシ１ｂは、基準面を設けず、指当て部３４１ｂの各指当て面が均等の幅である点が、実施形態２と異なる。
【００６９】
例えば、指当て部３４１ｂが図示のような８角形に形成される場合、指当て部３４１ｂを、時計方向に一面ずつずらして把持すれば、ブラシ部２の軸方向の回転角度は均等に４５度となる。
【００７０】
また、ここでは、第１角度変更機構によるブラシ部２の軸方向の回転角度も、第２角度変更機構即ち指当て部の回転角度と同様とする。
【００７１】
上記構成によって、ブラシ１ｂを用いれば、使用者は第１角度変更機構で当接角度を調整するか又は第２角度変更機構で当接角度を調整するかを、選択可能となる。これによって、例えば、手の器用さないし自由度が十分でない使用者は、第１角度変更機構を利用し、それ以外の使用者は第２角度変更機構を利用することで、幅広い使用者に対応可能となる。
【００７２】
また、ハンドル部３ｂは、硬質素材と軟質素材の２種類の素材から形成され、図示のように、把持部３４ｂの外郭が軟質素材からなるように構成されてもよい。
【００７３】
以上、本発明に係るブラシの実施形態について説明したが、これらは本発明の実施形態の一例に過ぎず、本発明はこれらに限定されるものではない。本発明には、以上の各実施形態を組み合わせた形態や、様々な変形例が含まれる。
【００７４】
例えば、図１２に示すように、本願に係るブラシ１ｃは、ハンドル部３ｃの断面形状を楕円形に形成し、長軸に対応する面を基準面としてもよい。
【符号の説明】
【００７５】
１              ブラシ
２              ブラシ部
２１            毛束
２２            ヘッド
２３            ネック
２４            ブラシ接続部
２４５          角度規制部
３              ハンドル部
３１            ハンドル接続部
３１１１        第１逃がし部
３１１２        第２逃がし部
３１４          角度案内部
３２            把持部
３４１ａ        指当て部
【図１】
2017221682.tif 000003
【図２】
2017221682.tif 000004
【図３】
2017221682.tif 000005
【図４】
2017221682.tif 000006
【図５】
2017221682.tif 000007
【図６】
2017221682.tif 000008
【図７】
2017221682.tif 000009
【図８】
2017221682.tif 000010
【図９】
2017221682.tif 000011
【図１０】
2017221682.tif 000012
【図１１】
2017221682.tif 000013
【図１２】
2017221682.tif 000014
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
ブラッシング用のブラシ部と、把持用のハンドル部とを含むブラシであって、
前記ブラシ部は、前記ハンドル部に着脱可能に接続され、
前記ブラシ部と前記ハンドル部とは、一方に設けた棒状接続部と、他方に設けた凹部状接続部とが嵌合することによって接続され、
前記凹部状接続部には、汚れを収容するための第２逃がし部が設けられている
ことを特徴とするブラシ。
【請求項２】
請求項１に記載のブラシであって、
前記凹部状接続部には、製造過程におけるゲート残部を収容するための第１逃がし部が設けられている
ことを特徴とするブラシ。